(57)【要約】【課題】一定枚数単位での仕分けをしながら注文発行枚数を正確に計数確認する作業時間を短縮でき、かつ、高品質を実現する。【解決手段】発行パラメータ設定部は、券として所定の用紙に印刷すべき少なくとも項目と発行枚数とを券パラメータとして設定するとともに、当該券の発行枚数より少ない所定数毎に所定の用紙にセパレータとして印刷すべき少なくとも項目と所定数とをセパレータパラメータとして設定する。印刷機はコンピュータの制御のもとで、発行パラメータ設定部に券パラメータとして設定された項目を有する券を前記セパレータパラメータとして設定された所定数だけ順次印刷し重ねた後、セパレータパラメータとして設定された項目を有するセパレータを印刷し前記印刷し重ねた券に追加し、順次所定数の券を印刷する毎にセパレータを当該所定数の券の間に挿入するように発行し、券を発行枚数印刷する。【選択図】  図1
2014096085.tif 000002
【特許請求の範囲】
【請求項１】
印刷機をコンピュータにより制御する券発行システムにおいて、
コンピュータは、券として所定の用紙に印刷すべき少なくとも項目と発行枚数とを券パラメータとして設定するとともに、当該券の発行枚数より少ない所定数毎に所定の用紙にセパレータとして印刷すべき少なくとも項目と前記所定数とをセパレータパラメータとして設定する発行パラメータ設定部を備え、
印刷機はコンピュータの制御のもとで、前記発行パラメータ設定部に券パラメータとして設定された項目を有する券を前記セパレータパラメータとして設定された所定数だけ順次印刷し重ねた後、前記セパレータパラメータとして設定された項目を有するセパレータを印刷し前記印刷し重ねた券に追加し、順次所定数の券を印刷する毎にセパレータを当該所定数の券の間に挿入するように発行し、券を発行枚数印刷することを特徴とする券発行システム。
【発明の詳細な説明】
【技術分野】
【０００１】
本発明は、枚数計数を容易にする券の発行システムに関するものである。
【背景技術】
【０００２】
例えば、発券機により発行するサービス券を、発券機とは別の場所において予め印刷してから発券機に収納しておく場合がある。その発券の印刷作業は、コンピュータにより印刷機を制御して、券を得ている。印刷された券は、人手により、その裏表及び上下を整列するとともに、枚数の計数と一定枚数例えば１００枚単位での仕分けをされる。この計数と仕分けは、注文枚数にしたがって正しくされる必要がある。
【０００３】
券の印刷をコンピュータにより制御された印刷機により行っていてある程度の信頼性が得られるが、コンピュータのエラーや、計数誤りにより、仕分けミスや注文数に応じた正確な枚数が提供できないなどの問題点があった。
【０００４】
このため、作業員に必要以上の緊張を強いていた。
【発明の概要】
【発明が解決しようとする課題】
【０００５】
解決しようとする問題点は、一定枚数単位での仕分けをしながら注文発行枚数を正確に計数確認する作業時間を短縮することができず、かつ、高品質を実現できない点である。
【課題を解決するための手段】
【０００６】
本発明に係る券発行システムは、印刷機をコンピュータにより制御する券発行システムにおいて、コンピュータは、券として所定の用紙に印刷すべき少なくとも項目と発行枚数とを券パラメータとして設定するとともに、当該券の発行枚数より少ない所定数毎に所定の用紙にセパレータとして印刷すべき少なくとも項目と前記所定数とをセパレータパラメータとして設定する発行パラメータ設定部を備え、印刷機はコンピュータの制御のもとで、前記発行パラメータ設定部に券パラメータとして設定された項目を有する券を前記セパレータパラメータとして設定された所定数だけ順次印刷しスタックした後、前記セパレータパラメータとして設定された項目を有するセパレータを印刷し前記印刷した券のスタックに追加し、順次所定数の券を印刷する毎にセパレータを当該所定数の券の間に挿入するように発行し、券を発行枚数印刷することを特徴とするものである。
【発明の効果】
【０００７】
本発明に係る券発行システムによると、所定数毎に印刷された券の間に所定間隔でセパレータが印刷され、券の間にセパレータが挿入されるから、例えばセパレータを券について１００枚ごとに挿入すれば、その１００枚単位を区切りとして判断できることから、いちいち全ての枚数を数える必要がなく、発行作業の一部を自動化して、作業時間の短縮と品質の向上を実現し、枚数計数の手間を大幅に省くことができるという利点がある。
【図面の簡単な説明】
【０００８】
【図１】券発行システムの一実施例を説明する機能ブロック図である。（実施例１）
【図２】セパレータ、ヘッダ、ターミネータの一例を説明する図である。
【図３】券の一例を説明する図である。
【発明を実施するための形態】
【０００９】
発行券の枚数計数の手間を省くために、券の間にセパレータを挿入するという目的を、コンピュータ内にセパレータ設定部を設け、セパレータ設定部に設定した券パラメータとセパレータパラメータとにしたがって印刷機を制御して印刷することにより実現した。
【実施例１】
【００１０】
本発明の実施例は、駐車場利用者に対して、当該駐車場と提携している店舗が提供するサービス券の発行について説明する。
図１は、本発明に係る券発行システムの一実施例の機能構成図であり、１０１はコンピュータ、１０２は操作パネル、１０３はＭＰＵ基板、１０４は発行パラメータ設定部、１０５は感熱プリンタで構成する印刷機、１０６は感熱ロール紙、２０１は回収部、２０２は発行券、２０３はセンサＳ１、２０４は券送り機構、２０５はセンサＳ２、２０６はスタッカを構成する回収ベッド、２０７は回収ベッド移動機構である。
コンピュータ１０１は操作パネル１０２の表示画面がパラメータ設定モードになるように設定することができ、同モードにおいて操作パネル１０２の表示面にパラメータ設定画面を表示し、表示面の所定箇所へのタッチ操作により数値等を入力することができ、発行パラメータ設定部１０２に券パラメータ、セパレータパラメータを設定することができる。
【００１１】
操作者は、はじめに、パラメータを設定する。コンピュータ１０１と印刷機１０３が作動可能な状態で、コンピュータ１０１をパラメータ設定モードに設定し、操作パネル１０２の表示面にパラメータ設定画面を表示させる。印刷対象は、印刷物の最初のヘッダ、主な印刷対象物であるサービス券、所定数のサービス券の間に挿入されるように印刷されるセパレータ及び最後のターミネータである。パラメータ設定画面は、ヘッダ、サービス券、セパレータ及びターミネータの印刷に必要な項目が配置される。発行のためのパラメータの種類、その役割および技術的意味について、表１に示す。
【００１２】
【表１】
2014096085.tif 000003
各項目は、印刷対象によって共通のもの個別のものがある。
操作者は、パラメータ設定画面の所定の項目にヘッダパラメータ、サービス券パラメータ、セパレータパラメータ及びターミネータパラメータを、操作パネル１０２の文字表示、数字表示をタッチして入力する。これら各パラメータは、パラメータ設定部１０４にいずれの印刷対象に用いられるかの識別子とともに入力され、書込記録される。パラメータ設定部１０４に記録されたパラメータすなわちヘッダパラメータ、サービス券パラメータ、セパレータパラメータ及びターミネータパラメータ等は、上書きされるまで消えず、コンピュータ１０１の電源オフにおいても消えない。これらのパラメータは、次のロットの印刷発行に備え、リセットや発行終了後も残される。
ヘッダ、サービス券、セパレータ及びターミネータの各書式は、予め定められ、前記各パラメータを指定することにより、各書式にパラメータにしたがった文字が配置され、印刷形式が定まる。
【００１３】
設定したパラメータが確定することにより印刷する。操作者がコンピュータ１０１を印刷モードに設定することにより、印刷を開始する。コンピュータ１０１のＭＰＵ基板１０３は、印刷機１０５を起動して、印刷データを送る。印刷機１０５は感熱ロール１０６を印刷機１０５にフィードし、印刷データにしたがって感熱ロール紙１０６の白紙感熱用紙に１枚ずつ印字してカットし、サービス券、セパレータ、ヘッダおよびターミネータ等を所定枚数分印刷する。これらサービス券、セパレータ、ヘッダおよびターミネータの例を図２に示す。
【００１４】
まず、ヘッダを印刷する。ヘッダには今回ロットで印刷するサービス券、セパレータの情報を印刷する。例えば、これらの情報として、バーコードサービス券発行情報、今回ロットで発行する発行連番（サービス券の供給先に応じて前回連番の最終番号の次から開始し今回のサービス券の発行枚数のパラメータ設定に応じて今回の連番の最終番号が決まる）、サービス券の券種コード、セパレータの枚数等があり、これらはパラメータとして設定されている。バーコードサービス券発行情報の（００／２０）は、例えば、サービス券の発行を２０００枚、１００枚毎にセパレータを発行するように設定している場合、セパレータは２０枚となるから、（００／２０）はヘッダにおいては、「２０枚中の０枚目のセパレータ」を意味し、次いで１００枚発行後に（１／２０）のセパレータが印刷される。
印刷されたヘッダは、券送り機構２０４のＳ１センサ２０３を通過する。Ｓ１センサ２０３を感知すると、ＭＰＵ基板１０３は券送り機構２０４を一定時間駆動し、ヘッダを回収部２０１内へ送り出す。券送り機構２０４を通過したヘッダは、自然落下して回収ベット２０６上に収納され、最下位位置に置かれる。このとき、Ｓ２センサ２０５が感知すると、ＭＰＵ基板１０３は回収ベッド機構２０７を駆動し、回収ベッド２０６を回収ベッド移動機構２０７に組み込まれたベルトにより下方に移動し、ヘッダ（印刷物がサービス券、セパレータ、およびターミネータの場合はそれら）の収納空間を確保する。なお、ＭＰＵ基板１０３は、印刷物の落下時のＳ１センサ２０３の発生信号では誤動作しないよう、一定時間以上の感知で回収ベッド移動機構２０７を駆動する。
【００１５】
コンピュータ１０１は、ヘッダが印刷された後は操作者が図示しない確認ボタンを押すまで、処理を保留する。この保留状態で、ヘッダに印刷された発行情報に変更すべきものがあれば、所定のパラメータを変更した後、新パラメータで再スタートして保留を解除し、印刷を開始する。前の保留状態で、ヘッダに印刷された発行情報に変更すべきものがなければ、操作者が確認ボタンを押した後に、パラメータとして設定した枚数のサービス券を印刷する。サービス券には例えば駐車に対する優待サービスとしての所定の情報を含んだバーコードが印刷され、その他利用者に対する注意書きが印刷される。サービス券はパラメータで設定した発行すべき枚数より少ない所定の枚数を印刷する。例えば、発行すべき枚数を２，０００枚、最初に印刷する所定枚数を１００枚（セパレータをサービス券の１００枚毎に発行する）とする。印刷機１０５がサービス券を印刷して、順次、券送り機構２０４を経て、回収ベッド２０６に送られ、印刷された１００枚を順次ストックする。
【００１６】
次に、印刷機１０５は、セパレータを印刷する。セパレータには、ヘッダと同様の情報とともに、前回セパレータ印刷から今回セパレータ印刷（今回のセパレータ印刷が最初の場合はヘッダの印刷から今回のセパレータ印刷）前に生じた発行情報を印刷する。発行情報は、今回のサービス券印刷において発生したエラー時の券番号と情報を印字して残すものである。このように発行情報を印字記録して可視化した。エラー情報を含む発行情報を可視化することにより、その記録ができ、エラーの対処がしやすくなる。印刷後の点検時に、これを見てこのロットに問題のあることを知り、該当する券の再検査や欠番の再発行などを行う資料とすることができる。印刷機１０５がセパレータを１枚印刷して、券送り機構２０４を経て、回収ベッド２０６に送り、前に印刷して回収ヘッド２０６にスタックしているサービス券の上に送り、積み重ねる。以下同様に、所定数のサービス券がその発行すべき枚数まで印刷し、その一方、サービス券を所定枚数印刷するごとにセパレータを印刷し、セパレータを回収ヘッド２０６内のサービス券の所定数ごとに挿入するように重ねる。サービス券を発行すべき枚数（例えば、１，９９０枚）まで印刷したとき、そのときの前回のセパレータ印刷からのサービス券の印刷数が所定の枚数（例えば、前述の１００枚）に達していなく、９０枚の端数であったとしても、最後のセパレータを印刷して、今までのサービス券に重ねる。
【００１７】
その後、ターミネータを印刷する。ターミネータにはヘッダとセパレータと同様の情報とともに今回ロットの印刷における発行情報を印刷する。発行情報は、今回のロット印刷において発生した全エラーの券番号と情報を印字して残すものである。
【００１８】
印刷の途中で何らかの原因でリセットがかかっても、パラメータで設定した発行枚数についてカウントして順次減じ、リセットにより印刷過程で印刷枚数のカウントを保持するから、例えば、サービス券を１０００枚発行で９５０枚発行中にリセットがかかっても、カウント保持してあれば、９５１枚目から再設定することなしに発行作業が継続できる。
【００１９】
発行作業について、（１）裏表そろえ、（２）券方向整列、（３）枚数計数、（４）セパレータ挿入等、の自動化を実現することができる。さらに、発行枚数の自動計数化により間違い防止をすることができる。
作業員は、発行されたヘッダ、サービス券、セパレータ、およびターミネータの積み重なった束の各セパレータおよびターミネータの印刷表示を確認し、印刷過程においてエラーがないか確認する。エラーがある場合は作業員は、操作パネル１０２の指示操作により、当該エラーの生じたサービス券について再度印刷をする。ヘッダ、サービス券、セパレータ、およびターミネータの各印刷物の区別は、印刷面を目視で確認することにより行う。サービス券と他のヘッダ、セパレータ、およびターミネータとは、券面の印刷内容が例えばサービス券にバーコードを印刷して明瞭に異ならせているから、順に例えば上から、見ていくことによりバーコードサービス券とヘッダ、セパレータ、およびターミネータとを識別することができる。
サービス券として従来は磁気券を用いるものがあった。磁気券では、あらかじめ券の表面（券の裏面には磁性材が塗られているものとして）にデザインや注意書きが印刷されている。バーコードサービス券では、何も印刷されていない白紙の（ＰＯＳのレシート用紙のような）感熱紙に、任意に印字することができる。したがって、サービス券とセパレータはまったく違うデザインにすることができる。
【符号の説明】
【００２０】
１０１：コンピュータ
１０２：操作パネル
１０３：ＭＰＵ基板
１０４：発行パラメータ設定部
１０５：印刷機
１０６：感熱ロール紙
２０１：回収部
２０２：発行券
２０３：センサＳ１
２０４：券送り機構
２０５：センサＳ２
２０６：回収ベッド
２０７：回収ベッド移動機構
【図１】
2014096085.tif 000004
【図２】
2014096085.tif 000005
【図３】
2014096085.tif 000006